(57)【要約】      （修正有）【課題】携帯型通信端末に設けられた照明部の発光を直接着信報知として機能させた場合、強い発光が直接外部に放出されるため、報知機能としては美観に欠ける。これを解決する携帯型通信端末用ケースを提供する。【解決手段】照明部１４に対向して設けられた光取込部２０を備えると共にケース本体２の内面に沿って設けられた透明な導光部材１９を有し、導光部材の端部に形成された光放出部２７がケース本体の外部に露出してなる。照明部から放出された光は、光取込面２８から導光部材中に取り込まれ、導光部材の長さ方向に反射され、導光部材中を全反射しながら光放出部まで効率良く導かれる。また、光放出部に発光装飾部材３２が取付可能であることが好ましい。【選択図】図１１
0003188953.tif 000002
【実用新案登録請求の範囲】
【請求項１】
着信と連動して発光することができる照明部を背面に備えた携帯型通信端末に装着される携帯型通信端末用ケースであって、
前記携帯型通信端末を嵌め込んで装着できる装着部を構成する背面板及び側周板を備えるケース本体と、
前記背面板の内面に沿って、互いに平行となるように線状に突出して形成されてなる一対の固定用リブと、
前記一対の固定用リブに挟持されて前記ケース本体の内面に固定され、光透過性を有する長尺薄板状の透明素材からなる導光部材とを備え、
前記導光部材は、
一端部が、前記ケース本体に装着された携帯型通信端末の照明部と対向する位置に配置されると共に、前記照明部と対面する面が照明部から放出された光を取り込む平坦面に形成される光取込面、及び、該光取込面に対向する面が前記光取込面に対して一端から導光部材の長さ方向に向かって拡開する傾斜面に形成される光反射面を有する光取込部を形成してなり、
他端部が、前記側周板に設けられた貫通孔の内面側から外面側に向かって挿通されて前記ケース本体の外部に露出してなる柱状の光放出部を形成してなること
を特徴とする携帯型通信端末用ケース。 
【考案の詳細な説明】
【技術分野】
【０００１】
本考案は、他者から送信された音声、文字情報、及び画像情報を含む受信信号を感知することができる携帯型通信端末に装着して使用されるケースに関する。
【背景技術】
【０００２】
近年、携帯電話機を含む携帯型通信端末には、背面部に周囲を照らす手段として照明部を備えたものが多く開発されており、受信信号の感知（以下、着信という。）に連動させて前記照明部を発光させる機能を有するものも存在する。
【先行技術文献】
【特許文献】
【０００３】
【特許文献１】特開２００７−２８８７３０号公報
【考案の概要】
【考案が解決しようとする課題】
【０００４】
しかし、前記照明部の発光を直接着信報知として機能させた場合には、照明用としての強い発光が直接外部に放出されるため、着信の報知機能としては美観に欠けるという問題があった。
【課題を解決するための手段】
【０００５】
そこで、上記課題を解決するための手段として本考案に係る携帯型通信端末用ケースは、着信と連動して発光することができる照明部を背面に備えた携帯型通信端末に装着される携帯型通信端末用ケースであって、前記携帯型通信端末を嵌め込んで装着できる装着部を構成する背面板及び側周板を備えるケース本体と、前記背面板の内面に沿って、互いに平行となるように線状に突出して形成されてなる一対の固定用リブと、前記一対の固定用リブに挟持されて前記ケース本体の内面に固定され、光透過性を有する長尺薄板状の透明素材からなる導光部材とを備え、前記導光部材は、一端部が、前記ケース本体に装着された携帯型通信端末の照明部と対向する位置に配置されると共に、前記照明部と対面する面が照明部から放出された光を取り込む平坦面に形成される光取込面、及び、該光取込面に対向する面が前記光取込面に対して一端から導光部材の長さ方向に向かって拡開する傾斜面に形成される光反射面を有する光取込部を形成してなり、他端部が、前記側周板に設けられた貫通孔の内面側から外面側に向かって挿通されて前記ケース本体の外部に露出してなる柱状の光放出部を形成してなることを特徴とする。
【０００６】
光取込部は、照明部から放出された光を光取込面から光取込部の内部に取り込む。光取込部内に取り込まれた光は、光反射面で反射され、導光部材中を反射しながら導波していき、光放出部に到達する。光放出部に到達した光は外部に放出され、使用者に携帯型通信端末が着信していることを報知する。
【０００７】
導光部材を構成する透明素材は、照明部から放出される光を透過する透明素材で形成されてなる。透明素材には、例えばポリカーボネイト、若しくはＡＢＳ樹脂等の透明樹脂を用いることができる。また、透明素材にはガラスを用いてもよい。
【０００８】
導光部材は、一対の固定用リブの間隙に挿し入れることによって、それぞれの固定用リブが導光部材を構成する両側面に当接して挟み込むことによって、導光部材をケース本体の内面に沿って固定させることができる。一対の固定用リブは、導光部材を前記間隙に挿し入れる際に導光部材の外方に変形可能であるため、例えばケース本体の内面に形成した溝に導光部材を嵌め込む場合よりも容易に導光部材の固定を行うことができる。
【０００９】
また、一対の固定用リブは、導光部材を固定すると同時に、ケース本体の強度補強の効果も果たしており、ケース本体の薄型化にも寄与する。なお、ケース本体の内面には、前記一対の固定用リブ以外にもケース本体の強度補強を目的とした補強用リブが複数形成されていても好ましい。
【００１０】
照明部から放出された光は、光取込面から導光部材中に取り込まれ、光反射面で導光部材の長さ方向に反射され、導光部材中を全反射しながら光放出部まで効率良く導かれる。
【００１１】
光放出部は、導光部材の端部に形成されると共に、側周板に設けられた貫通孔に挿通されてケース本体の外部に露出するように形成される。これにより、導光部材中を導波してきた光を光放出部の端面からケース本体の外部へ放出させる機能を有する。従って、使用者は光放出部から放出された光を視認することによって携帯型通信端末が着信していることを知ることができる。なお貫通孔は、携帯型通信端末の外部端子への外部機器の接続、若しくはスイッチ類の操作を行うために側周板に設けられた切欠き等と位置が重複する場合には、内壁の一部が開放されていても良い。
【００１２】
また、光放出部は、ケース本体を貫通する等して前記端部が外部に露出して形成されるが、光放出部の端面とケース本体の背面とがほぼ同一面上となるように形成されていても好ましい。光放出部の端面とケース本体の背面とがほぼ同一面上となるように形成されることにより、着信時にケース本体の表面の一部分が発光して、光る模様を構成しているかのように見せることが可能である。
【００１３】
さらにまた、光放出部がケースから外部に突出して形成されていても好ましい。光放出部がケース本体から突出して形成されることによって、着信報知時に放出される光をケース本体の外部に突出している光放出部の全表面から放出させることも可能であるため、使用者に対して着信していることをより明確に報知することができる。
【００１４】
また、光放出部をケースから外部に突出して形成した場合には、当該光放出部に発光装飾部材が取付可能であることとしても好ましい。前記発光装飾部材も光を透過する前記透明素材によって形成することにより、携帯型通信端末の着信時に光放出部から放出された光が発光装飾部の内部を透過し、発光装飾部の外表面から光が放出されることによって、着信していることを明確に報知することができる。さらに、発光装飾部を漫画のキャラクター、アクセサリー、食べ物、動物、植物、建物、若しくは乗物等の物品の形状に形成することによって、装飾としての美観を向上させることができる。
【考案の効果】
【００１５】
本考案によれば、照明部から放出された光を、光取込部から光反射面を介して導光部材内部に効率良く取り込むことができ、多くの光を光放出部から放出させることができる。
【００１６】
また、ケース本体の外部に露出してなる光放出部の形状によって着信時の発光による報知機能に装飾性を具備させることができ、本考案に係る携帯型通信端末用ケースの着信報知装置としての美観を高めることができる。
【図面の簡単な説明】
【００１７】
【図１】携帯型通信端末用ケース１の正面図である。
【図２】携帯型通信端末用ケース１の背面図である。
【図３】携帯型通信端末用ケース１の平面図である。
【図４】携帯型通信端末用ケース１の底面図である。
【図５】携帯型通信端末用ケース１の右側面図である。
【図６】携帯型通信端末用ケース１の左側面図である。
【図７】携帯型通信端末用ケース１のＡ−Ａ断面図である。図中の二点鎖線は携帯型通信端末５、カメラ１３、及び照明部１４の概略を示す。
【図８】携帯型通信端末用ケース１のＢ−Ｂ断面図である。
【図９】携帯型通信端末用ケース１のＣ−Ｃ断面図である。
【図１０】導光部材１８のみの斜視図である。
【図１１】携帯型通信端末５に携帯型通信端末用ケース１を装着し、光放出部２７に発光装飾部材３２を取り付けた状態を示す正面図である。図中の二点鎖線は携帯型通信端末５、カメラ１３、及び照明部１４の概略を示す。
【図１２】光放出部２７の上端面が上面板７の外表面と同一面となるように形成された携帯型通信端末用ケース１の正面図である。
【図１３】図１２に係る携帯型通信端末用ケース１のＤ−Ｄ断面図である。
【図１４】携帯型通信端末用ケース１０１の正面図である。
【図１５】携帯型通信端末用ケース１０１のＥ−Ｅ断面図である。
【考案を実施するための形態】
【００１８】
以下、本考案に係る実施の形態を、図を参照しながら詳しく説明する。
【００１９】
図１〜図６は、本考案に係る携帯型通信端末用ケース１の六面図である。ケース本体２は、背面板３及び背面板３の外周縁に沿って正面方向に延出してなる周側板４を備える。使用者は、図７に示すように、携帯型通信端末５を、背面板３及び周側板４によって形成される装着部６の内側に嵌め込むことで携帯型通信端末用ケース１を装着することができる。本実施の形態において、周側板４は、上面板７、下面板８、右側面板９、及び左側面板１０とからなる。なお、ケース本体２に設けられた切欠き部ａ、ｂは、携帯型通信端末用ケース１を装着した状態で、携帯型通信端末５に設けられた外部端子への外部機器の接続、若しくはスイッチ類の操作を行うために設けられたものである。
【００２０】
携帯型通信端末５に装着された携帯型通信端末用ケース１は、背面板３が携帯型通信端末５の背面１１に沿い、かつ、周側板４が携帯型通信端末５の側面１２に沿った状態となる。
【００２１】
携帯型通信端末５の背面１１の上部にはカメラ１３及び照明部１４が横方向に並べて配置されており、照明部１４はカメラ１３よりも携帯型通信端末５の中心寄りに配置されている。ケース本体２の背面板３の上部には、カメラ１３に対応した位置にカメラ穴１５が設けられているため、携帯型通信端末５に携帯型通信端末用ケース１を装着した状態であってもカメラ１３はカメラ穴１５を介して外部に露出させることができる。従って携帯型通信端末用ケース１を装着した状態でカメラ１３による撮影が可能である。
【００２２】
一方、背面板３の内面１６には、図１に示すようにカメラ穴１５のケース本体２の中心側横隣りを一端として、一対の固定リブ１７，１７がケース本体２の側面方向に向かって互いに平行に形成されている。本実施の形態において、一対の固定リブ１７，１７は、ケース本体２の中心付近で上方向に屈曲されて、ケース本体２の上面板７に突き当たって終端している。
【００２３】
前記一対の固定リブ１７，１７の間隙には、図１及び図９に示すように、透明樹脂によって形成された導光部材１８が挿し入れられると共に、一対の固定リブ１７，１７が導光部材１８を挟持する。これにより、導光部材１８が内面１６に沿って固定される。なお、本実施の形態において、背面板３の内面１６には、固定リブ１７，１７以外にも補強用リブ１９が縦横に形成されている。補強用リブ１９を設けることで、背面板３の強度を保持しつつ背面板３の厚みを薄く成形できる。また、固定用リブ１７，１７も背面板３の強度向上の効果を有し、背面板３の薄型化を図ることができる。
【００２４】
導光部材１８の一端部は、図７に示すように携帯型通信端末用ケース１を携帯型通信端末５に装着した状態において、照明部１４と向かい合う位置に配置され、光取込部２０を構成する。光取込部２０から左側面板１０に向かって横向導波路２１が延在し、一対の固定リブ１７，１７が屈曲するに従って導光部材１８も屈曲し、屈曲導波路２２が形成されている。導光部材１８は、屈曲導波路２２から上面板７に向かって上向導波路２３が延在してなる。上向導波路２３が上面板７に到達すると、上面板７の内面２４に沿って延びる上面導波路２５が連続して形成される。当該上面導波路２５が導光部材１８の他端部となる。
【００２５】
ここで、上面板７には、図８に示すように円形の貫通孔２６が設けられてなる。上面導波路２５は貫通孔２６の内面側を覆うように配置されており、上面導波路２５の上面には、貫通孔２６の内面側から外面側に向かって挿通されてケース本体２の外部に突出してなる円柱状の光放出部２７が形成され、当該光放出部２７は導光部材１８の他端部に形成されていることとなる。
【００２６】
図１０に示すように、光取込部２０、横向導波路２１、屈曲導波路２２、上向導波路２３、上面導波路２５、及び光放出部２７は、一体の導光部材１８を形成する。
【００２７】
光取込部２０は、照明部１４と対面する面を平坦面に形成された光取込面２８とし、照明部１４から放射された光を光取込面２８から光取込部２０内に取り込むことができる。さらに光取込部２０は、光取込面２８に対向する面を一端から左側面板１０に向かって光取込面２８に対して拡開する傾斜面に形成された取込部光反射面２９とする。
【００２８】
また、屈曲導波路２２において、光が光取込部２０から上面導波路２５へ方向を変える際の外角部分は、底面から左側面へ向けて斜め上方向に傾斜した面である屈曲部光反射面３０が形成されてなる。屈曲部光反射面３０により、光取込部２０から屈曲導波路２２に進入してきた光を効率よく上面導波路２５へ誘導することができる。
【００２９】
上面導波路２５の正面側端面には、底面から正面へ向けて斜め上方向に傾斜した面である上面導波路光反射面３１が形成されてなる。上面導波路光反射面３１により、上面導波路２５に進入してきた光を効率よく光放出部２７へ誘導することができる。
【００３０】
ここで、本考案に係る携帯型通信端末用ケース１の機能について説明する。照明部１４は、携帯型通信端末５が受信した着信信号を検知して光を放射する。照明部１４から放射された光は光取込面２８から光取込部２０の内部に取り込まれる。光取込面２８から光取込部２０内に取り込まれた光は、取込部光反射面２９で導光部材１８の長さ方向である左側面板１０の方向に反射される。
【００３１】
導光部材１８の長さ方向に反射された光は、横向導波路２１の内部を全反射しながら伝わり、屈曲導波路２２の屈曲部光反射面３０で反射されて上面板７の方向に進路を変え、上向導波路２３へ進入する。上向導波路２３は、正面方向に緩やかに湾曲しながら上面導波路２５に接続されており、光はこの上向導波路２３の湾曲した形状に沿って導光部材１８内を全反射しながら伝わってゆく。上向導波路２３から上面導波路２５へ進入した光は、上面導波路光反射面３１で反射されて光放出部２７へ到達する。光放出部２７へ到達した光は光放出部２７の外表面から携帯型通信端末用ケース１の外部へ放出されることによって、携帯型通信端末５の着信を使用者に知らせる。
【００３２】
なお図１１には、光放出部２７に動物の頭を模した発光装飾部材３２が取付けられている。発光装飾部材３２も光を透過する透明素材によって形成することにより、携帯型通信端末５の着信時に光放出部２７から放出された光が発光装飾部材３２の内部を透過し、発光装飾部材３２の外表面から光が放出されることによって、携帯型通信端末５が着信していることを使用者に明確に知らせることができる。また、発光装飾部材３２を漫画のキャラクター、アクセサリー、食べ物、植物、建物、若しくは乗物等の物品の形状に形成することによって、装飾としての美観を向上させても好ましい。
【００３３】
また、光放出部２７は、図１２、図１３に示すように光放出部２７の上端面３３が上面板７の外表面と同一面となるように形成され、前記上端面３３のみがケース本体２の外部に露出していてもよい。この場合には、前述のような発光装飾部材３２を光放出部２７に取り付けることはできないが、光放出部２７が上面板７から突出しないので携帯型通信端末用ケース１を鞄等に収納する際に、光放出部２７をひっかける恐れがない。また、前記上端面３３の形状を、星形やハート形等の特徴のある特定形状にすることで、着信時に上面板７の表面が前記特定形状に光り、着信の報知機能に装飾性を付加することができる。
【００３４】
さらに、本考案の他の実施の形態として、図１４に示すように携帯型通信端末用ケース１０１は、上面板１０７、下面板１０８、右側面板１０９、左側面板１１０からなる周側板１０４と、カメラ穴１１５が形成されてなる背面板１０３とを有するケース本体１０２を備える。携帯型通信端末５を、背面板１０３及び周側板１０４によって形成される装着部１０６の内側に嵌め込むことで携帯型通信端末用ケース１０１を装着することが可能であることは、上記携帯型通信端末用ケース１における実施の形態と同様である。
【００３５】
導光部材１１８は、カメラ穴１１５の左隣に配置された導光部材１１８の一端部である光取込部１２０から真っ直ぐに上面板１０７へ延びて上向導波路１２３が連続して形成されても好ましい。上向導波路１２３の先には、図１５に示すように導光部材１１８の他端部である上面導波路１２５が形成され、さらに上面導波路１２５には光放出部１２７が形成されてなる。上面板１０７には貫通孔１２６が設けられており、光放出部１２７は、貫通孔１２６を挿通されてケース本体１０２の外部に突出している。導光部材１１８は、左右両側を一対の固定リブ１１７に挟持されてケース本体１０２の内面１１６に沿って固定されている。なお、ケース本体１０２の内面には固定用リブ１１９が縦横に形成されてなることは、前記携帯型通信端末用ケース１における実施の形態の場合と同様である。
【００３６】
当該他の実施の形態において、光取込部１２０の正面には光取込面１２８が形成されている。また取込部光反射面１２８は、光取込部１２０の下端から上面板１０７の方向に向かって光取込面１２８に対して拡開する傾斜面に形成されている。なお、光取込部１２０の下端を導光部材１１８の一端とする。
【００３７】
照明部１４から放射された光は光取込面１２８から光取込部１２０の内部に取り込まれる。光取込面１２８から光取込部１２０内に取り込まれた光は、取込部光反射面１２９で導光部材１１８の長さ方向である上面板１０７の方向に反射される。
【００３８】
導光部材１１８の長さ方向に反射された光は、上向導波路１２３へ進入する。上向導波路１２３は、正面方向に緩やかに湾曲しながら上面導波路１２５に接続されており、光は上向導波路１２３の湾曲した形状に沿って導光部材１１８内を全反射しながら伝わってゆく。上向導波路１２３から上面導波路１２５へ進入した光は、上面導波路光反射面１３１で反射されて光放出部１２７へ到達する。光放出部１２７へ到達した光は光放出部１２７の外表面から携帯型通信端末用ケース１の外部へ放出されることによって、携帯型通信端末５の着信を使用者に知らせる。
【符号の説明】
【００３９】
１    携帯型通信端末用ケース
２    ケース本体
３    背面板
７    上面板
１４  照明部
１７  一対の固定リブ
１９  導光部材
２０  光取込部
２６  貫通孔
２７  光放出部
２８  光取込面
２９  取込部光反射面
【図１】
0003188953.tif 000003
【図２】
0003188953.tif 000004
【図３】
0003188953.tif 000005
【図４】
0003188953.tif 000006
【図５】
0003188953.tif 000007
【図６】
0003188953.tif 000008
【図７】
0003188953.tif 000009
【図８】
0003188953.tif 000010
【図９】
0003188953.tif 000011
【図１０】
0003188953.tif 000012
【図１１】
0003188953.tif 000013
【図１２】
0003188953.tif 000014
【図１３】
0003188953.tif 000015
【図１４】
0003188953.tif 000016
【図１５】
0003188953.tif 000017